(57)【要約】【課題】視覚障害者の利用を考慮した上で、誤操作の防止と操作性の改善の両立を図ることのできるエレベータの非常呼び釦装置を得る。【解決手段】エレベータのかご内に設けられた非常呼び釦（３）の手前に配置されたカバー（５）を操作者の外力により左右方向に移動可能とするとともに、外力が解除された際にカバーを非常呼び釦の手前の位置に復元させる復元機構を有する横スライド方式のカバー機構部（６〜８）を備え、カバーの横スライド方向であり、非常呼び釦の横位置に相当する位置に、視覚障害者に対して非常呼び釦の存在を知らせるための点字（４）を設けている。【選択図】図３
2013245093.tif 000002
【特許請求の範囲】
【請求項１】
エレベータのかご内に設けられた非常呼び釦の手前に配置されたカバーを操作者の外力により左右方向に移動可能とするとともに、前記外力が解除された際に前記カバーを前記非常呼び釦の手前の位置に復元させる復元機構を有する横スライド方式のカバー機構部を備え、
前記カバーの横スライド方向であり、前記非常呼び釦の横位置に相当する位置に、視覚障害者に対して前記非常呼び釦の存在を知らせるための点字を設けた
ことを特徴とするエレベータの非常呼び釦装置。
【請求項２】
請求項１に記載のエレベータの非常呼び釦装置において、
前記横スライド方式のカバー機構部は、
前記かご内に設けられた操作盤に横スライド方向と一致する方向で取り付けられ、互いに対向する一対の上部ガイドおよび下部ガイドと、
下部の左右に突起を有するとともに、前記一対の上部ガイドおよび下部ガイドで支持されることで左右方向に移動可能なカバーと、
前記下部ガイド内に配設され、前記操作者の外力により前記カバーが左右にスライド移動した際に、前記カバーの下部の左右に設けられた前記突起のそれぞれの移動に応じて縮み、前記外力が解除された際に前記カバーを前記非常呼び釦の手前の位置に復元させるための前記復元機構として機能するバネ機構と
を備えることを特徴とするエレベータの非常呼び釦装置。
【請求項３】
請求項１または２に記載のエレベータの非常呼び釦装置において、
前記カバーは、横スライド方向の両側面が凹面形状として形成されている
ことを特徴とするエレベータの非常呼び釦装置。
【発明の詳細な説明】
【技術分野】
【０００１】
本発明は、エレベータのかご内に設けられる非常呼び釦に関して、誤操作の防止と操作性の改善の両立を図ったエレベータの非常呼び釦装置に関する。
【背景技術】
【０００２】
非常呼び釦の誤操作を防止する釦カバーの操作性および堅牢性の向上を図るものとして、カバーに軸体がついており、左右の案内ガードにて軸体を支持しながら上下に遥動させるものがある（例えば、特許文献１参照）。この特許文献１では、釦カバーを開く場合には、カバーを上に動かし、自重で元の位置に下がってくる構造となっている。
【先行技術文献】
【特許文献】
【０００３】
【特許文献１】特開２００８−１５０１９９号公報
【発明の概要】
【発明が解決しようとする課題】
【０００４】
しかしながら、従来技術には、以下のような課題がある。
この特許文献１に開示された従来技術では、下から上にカバーを動かす必要があり、低い位置にインターホン釦（非常呼び釦に相当）がある場合には、釦を押す際の操作性が悪いといった問題がある。また、視覚障害者が利用する場合には、点字を読んでインターホン釦を押そうとするが、その際のカバーの動かし方が分かりづらく、スムーズに釦を押すことができないといった問題もある。
【０００５】
本発明は、前記のような課題を解決するためになされたものであり、視覚障害者の利用を考慮した上で、誤操作の防止と操作性の改善の両立を図ることのできるエレベータの非常呼び釦装置を得ることを目的とする。
【課題を解決するための手段】
【０００６】
本発明に係るエレベータの非常呼び釦装置は、エレベータのかご内に設けられた非常呼び釦の手前に配置されたカバーを操作者の外力により左右方向に移動可能とするとともに、外力が解除された際にカバーを非常呼び釦の手前の位置に復元させる復元機構を有する横スライド方式のカバー機構部を備え、カバーの横スライド方向であり、非常呼び釦の横位置に相当する位置に、視覚障害者に対して非常呼び釦の存在を知らせるための点字を設けたものである。
【発明の効果】
【０００７】
本発明に係るエレベータの非常呼び釦装置によれば、自然に基準位置までカバーが戻り、誤操作防止の機能を維持でき、かつ、不用意な外力に対して十分な強度を持つ構造の横スライド方式の誤操作防止カバーを採用するとともに、横スライド方式のカバーと対応するように、視覚障害者用の点字を非常呼び釦の横方向に設けることにより、視覚障害者の利用を考慮した上で、誤操作の防止と操作性の改善の両立を図ることのできるエレベータの非常呼び釦装置を得ることができる。
【図面の簡単な説明】
【０００８】
【図１】本発明の実施の形態１におけるエレベータの非常呼び釦装置を含む操作盤が、かご内に設けられている状態を示した図である。
【図２】本発明の実施の形態１における図１に示した操作盤のレイアウト図である。
【図３】本発明の実施の形態１におけるエレベータの非常呼び釦装置の具体的な構成を説明するための図である。
【図４】本発明の実施の形態１における図３に示したエレベータの非常呼び釦装置のカバーを左にスライドさせた状態の説明図である。
【図５】本発明の実施の形態１における図３に示したエレベータの非常呼び釦装置のカバーを右にスライドさせた状態の説明図である。
【図６】本発明の実施の形態１における図３〜図５に示したカバーの構造を詳細に示した図である。
【図７】本発明の実施の形態１における図３〜図５に示した上部ガイドの構造を詳細に示した図である。
【図８】本発明の実施の形態１における図３〜図５に示した下部ガイドの構造を詳細に示した図である。
【発明を実施するための形態】
【０００９】
以下、本発明のエレベータの非常呼び釦装置の好適な実施の形態につき図面を用いて説明する。
【００１０】
実施の形態１．
図１は、本発明の実施の形態１におけるエレベータの非常呼び釦装置を含む操作盤が、かご内に設けられている状態を示した図である。また、図２は、本発明の実施の形態１における図１に示した操作盤のレイアウト図である。
【００１１】
図１に示したように、かご１内には、かご操作盤２が設けられている。そして、図２に示したように、かご操作盤２には、非常時に外部と連絡するためのインターホン釦３（非常呼び釦に相当）が取り付けられる。本発明では、このインターホン釦３の誤操作防止構造を含む全体構成のことを、「エレベータの非常呼び釦装置」と称しており、以下に、本発明のエレベータの非常呼び釦装置の具体的な構成について説明する。
【００１２】
図３は、本発明の実施の形態１におけるエレベータの非常呼び釦装置の具体的な構成を説明するための図である。本実施の形態１におけるエレベータの非常呼び釦装置は、インターホン釦３、点字４、カバー５、上部ガイド６、下部ガイド７、およびバネ８ａ、８ｂを備えて構成されている。そして、上部ガイド６および下部ガイド７は、操作盤２に対して、ネジ９により固定されている。
【００１３】
また、図４は、本発明の実施の形態１における図３に示したエレベータの非常呼び釦装置のカバー５を左にスライドさせた状態の説明図である。さらに、図５は、本発明の実施の形態１における図３に示したエレベータの非常呼び釦装置のカバー５を右にスライドさせた状態の説明図である。
【００１４】
また、図６は、本発明の実施の形態１における図３〜図５に示したカバー５の構造を詳細に示した図である。また、図７は、本発明の実施の形態１における図３〜図５に示した上部ガイド６の構造を詳細に示した図である。さらに、図８は、本発明の実施の形態１における図３〜図５に示した下部ガイド７の構造を詳細に示した図である。
【００１５】
基本構造としては、カバー５を、上部ガイド６と下部ガイド７による一対のガイドで支持し、インターホン釦３を覆うことで、誤操作を防いでいる。さらに、カバー５を横（左方向あるいは右方向）に移動させることで、インターホン釦３を押すことができるようになっている。
【００１６】
さらに、本実施の形態１におけるエレベータの非常呼び釦装置は、横スライド方式でカバー５を左方向あるいは右方向に動かした後に、基準位置（カバー５が、インターホン釦３の前面を覆う位置）にカバーが自動的に戻ってくる構造を有している。
【００１７】
すなわち、本実施の形態１におけるカバー５は、横から力を加えると、左右どちらにでも動き、上部ガイド６と下部ガイド７の溝に沿って移動する。ここで、上部ガイドは１列の溝であるのに対して（図７参照）、下部ガイド７には、２列の溝があり（図８参照）、それぞれにバネ８ａ、バネ８ｂが配置されている（図３〜図５の各断面図参照）。
【００１８】
また、カバー５には、下部の左右に突起５ａと突起５ｂが付いている（図６参照）。そして、カバー５と、上部ガイド６および下部ガイド７とを組み合わせると、バネ８ａ、８ｂのそれぞれに、カバー５の突起５ａ、５ｂが引っかかるようになっている。
【００１９】
カバー５を左方向に動かそうとした場合には、カバー突起５ｂによってバネ８ｂが縮み（図４参照）、力を抜くと、バネ８ｂの反発力で、カバー５は、自動的に図３に示した基準位置に戻る。逆に、右方向に動かそうとした場合には、カバー突起５ａによってバネ８ａが縮み（図５参照）、力を抜くと、バネ８ａの反発力で、カバー５は、自動的に図３に示した基準位置に戻る。このような復元機構によって、カバーを動かした後にも、誤操作防止機能が有効な状態を維持できることとなる。
【００２０】
さらに、インターホン釦３の横方向の同一線上には、点字４が配置されており、視覚障害者が点字を読み取ることで、インターホン釦３の存在を知ることができる。さらに、本実施の形態１におけるエレベータの非常呼び釦装置は、カバーを横にスライドさせる構造であるため、視覚障害者は、点字を読み取った後に、そのまま指を横に動かしていくだけで、カバー５を動かし、インターホン釦３を押すことができるメリットがある。
【００２１】
また、このような横スライド方式を採用することで、特許文献１に開示されたような上に上げてカバーを開口させるよりも、より低い位置での操作が簡単にできるようになる。
【００２２】
また、カバー５は、左右の側面形状がくびれ形状となっている（図６参照）。このように、横スライド方向におけるカバー５の両側面を凹面形状とすることで、指の側面でカバー５を動かす際に、上下に指がぶれずに動かしやすく、自然とインターホン釦３の中心に指を運ぶことができる。
【００２３】
以上のように、実施の形態１によれば、自然に基準位置までカバーが戻り、誤操作防止の機能を維持でき、かつ、不用意な外力に対して十分な強度を持つ構造の横スライドの誤操作防止カバーを備えている。さらに、視覚障害者が点字を読み取った後に、スムーズにカバーを横スライドできるように、横スライド方式のカバーと対応するように、インターホン釦の横方向に点字を配置している。この結果、視覚障害者の利用を考慮した上で、誤操作の防止と操作性の改善の両立を図ることのできるエレベータの非常呼び釦装置を得ることができる。
【符号の説明】
【００２４】
１  かご、２  操作盤、３  インターホン釦、４  点字、５  カバー、５ａ、５ｂ  カバー突起、６  上部ガイド、７  下部ガイド、８ａ、８ｂ  バネ、９  ネジ。
【図１】
2013245093.tif 000003
【図２】
2013245093.tif 000004
【図３】
2013245093.tif 000005
【図４】
2013245093.tif 000006
【図５】
2013245093.tif 000007
【図６】
2013245093.tif 000008
【図７】
2013245093.tif 000009
【図８】
2013245093.tif 000010